【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】
テキスト入力手段及び送信手段を有する送信部と、
受信手段、言語解析手段、韻律生成手段、素片データ記憶手段、素片読み出し手段及び、合成手段を有する受信部と、を備えた音声通信システムであって、
前記テキスト入力手段はテキスト情報を入力し、
前記送信手段は前記テキスト情報を通信路に送信し、
前記受信手段は前記通信路から前記テキスト情報を受信し、
前記言語解析手段は前記テキスト情報を解析して、前記テキスト情報を、音声表記情報に変換し、
前記韻律生成手段は、前記音声表記情報を、韻律情報が付加された韻律情報付き音声表記情報に変換し、
前記素片読み出し手段は、前記韻律情報付き音声表記情報に従って、前記素片データ記憶手段から素片データを読み出し、
前記合成手段は、前記韻律情報付き音声表記情報と、前記素片データを用いて音声を合成し、
前記素片データ記憶手段は、音源特性と声道伝達特性情報を記憶し、
前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システム。
【請求項２】
前記送信部は、音声入力手段、音声符号化手段及び多重化手段を有し、
前記受信部は分離手段を有し、
前記音声入力手段は音声信号を入力し、
前記音声符号化手段は前記入力された音声信号のピッチと音源特性と声道伝達特性を分析して符号化することにより音声符号系列に変換し、
前記多重化手段は前記テキスト情報と前記音声符号系列を多重化してひとつの符号系列に変換し、
前記分離手段は前記符号系列を前記テキスト情報と前記音声符号系列に分離し、
前記合成手段は前記音声符号系列を音声信号に変換することを特徴とする請求項１記載の音声通信システム。
【請求項３】
テキスト入力手段、言語解析手段及び送信手段を有する送信部と、
受信手段、韻律生成手段、素片データ記憶手段、素片読み出し手段及び、合成手段を有する受信部と、を備えた音声通信システムであって、
前記テキスト入力手段はテキスト情報を入力し、
前記言語解析手段は、前記テキスト情報を音声表記情報に変換し、
前記送信手段は前記音声表記情報を通信路に送信し、
前記受信手段は前記通信路から前記音声表記情報を受信し、
前記韻律生成手段は、前記音声表記情報を、韻律情報が付加された韻律情報付き音声表記情報に変換し、
前記素片読み出し手段は、前記韻律情報付き音声表記情報に従って前記素片データ記憶手段から素片データを読み出し、
前記合成手段は、前記韻律情報付き音声表記情報と前記素片データを用いて音声を合成し、
前記素片データ記憶手段は音源特性と声道伝達特性情報を記憶し、
前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システム。
【請求項４】
前記送信部は、音声入力手段、音声符号化手段及び多重化手段を有し、
前記受信部は分離手段を有し、
前記音声入力手段は音声信号を入力し、
前記音声符号化手段は前記入力された音声信号のピッチと音源特性と声道伝達特性を分析して符号化することにより音声符号系列に変換し、
前記多重化手段は前記音声表記情報と前記音声符号系列を多重化してひとつの符号系列に変換し、
前記分離手段は、前記符号系列を前記音声表記情報と前記音声符号系列に分離し、
前記合成手段は前記音声符号系列を音声信号に変換することを特徴とする請求項３記載の音声通信システム。
【請求項５】
テキスト入力手段、言語解析手段、韻律生成手段及び、送信手段を有する送信部と、
受信手段、素片データ記憶手段、素片読み出し手段及び、合成手段を有する受信部と、を備えた音声通信システムであって、
前記テキスト入力手段はテキスト情報を入力し、
前記言語解析手段は、前記テキスト情報を音声表記情報に変換し、
前記韻律生成手段は、前記音声表記情報を、韻律情報が付加された韻律情報付き音声表記情報に変換し、
前記送信手段は、前記韻律情報付き音声表記情報を通信路に送信し、
前記受信手段は、前記通信路から前記韻律情報付き音声表記情報を受信し、
前記素片読み出し手段は、前記韻律情報付き音声表記情報に従って前記素片データ記憶手段から素片データを読み出し、
前記合成手段は、前記韻律情報付き音声表記情報と前記素片データとを用いて音声を合成し、
前記素片データ記憶手段は音源特性と声道伝達特性情報を記憶し、
前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システム。
【請求項６】
前記送信部は、音声入力手段、音声符号化手段及び多重化手段を有し、
前記受信部は分離手段を有し、
前記音声入力手段は音声信号を入力し、
前記音声符号化手段は、前記音声信号のピッチと音源特性と声道伝達特性を分析して符号化することにより音声符号系列に変換し、
前記多重化手段は前記韻律情報付き音声表記情報と前記音声符号系列を多重化してひとつの符号系列に変換し、
前記分離手段は前記符号系列を前記韻律情報付き音声表記情報と前記音声符号系列に分離し、
前記合成手段は、前記音声符号系列を音声信号に変換することを特徴とする請求項５記載の音声通信システム。
【請求項７】
テキスト入力手段及び第一の送信手段を有する送信部と、
第一の受信手段、言語解析手段及び第二の送信手段を有する中継部と、
第二の受信手段、韻律生成手段、素片データ記憶手段、素片読み出し手段及び、合成手段を有する受信部と、を備えた音声通信システムであって、
前記テキスト入力手段はテキスト情報を入力し、
前記第一の送信手段は前記テキスト情報を第一の通信路に送信し、
前記第一の受信手段は前記第一の通信路から前記テキスト情報を受信し、
前記言語解析手段は前記テキスト情報を音声表記情報に変換し、
前記第二の送信手段は前記音声表記情報を第二の通信路に送信し、
前記第二の受信手段は前記第二の通信路から前記音声表記情報を受信し、
前記韻律生成手段は、前記音声表記情報を、韻律情報が付加された韻律情報付き音声表記情報に変換し、
前記素片読み出し手段は前記韻律情報付き音声表記情報に従って前記素片データ記憶手段から素片データを読み出し、
前記合成手段は、前記韻律情報付き音声表記情報と前記素片データを用いて音声を合成し、
前記素片データ記憶手段は音源特性と声道伝達特性情報を記憶し、
前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システム。
【請求項８】
前記送信部は、音声入力手段、音声符号化手段及び第一の多重化手段を有し、
前記中継部は、第一の分離手段及び第二の多重化手段を有し、
前記受信部は第二の分離手段を有し、
前記音声入力手段は音声信号を入力し、
前記音声符号化手段は前記音声信号のピッチと音源特性と声道伝達特性を分析して符号化することにより音声符号系列に変換し、
前記第一の多重化手段は前記テキスト情報と前記音声符号系列を多重化してひとつの符号系列に変換し、
前記第一の分離手段は前記符号系列を前記テキスト情報と前記音声符号系列に分離し、
前記第二の多重化手段は前記音声表記情報と前記音声符号系列を多重化してひとつの符号系列に変換し、
前記第二の分離手段は前記第二の多重化手段によって多重化された符号系列を前記音声表記情報と前記音声符号系列に分離し、
前記合成手段は前記音声符号系列を音声信号に変換することを特徴とする請求項７記載の音声通信システム。
【請求項９】
テキスト入力手段及び第一の送信手段を有する送信部と、
第一の受信手段、言語解析手段、韻律生成手段及び第二の送信手段を有する中継部と、
第二の受信手段、素片データ記憶手段、素片読み出し手段及び合成手段を有する受信部と、を備えた音声通信システムであって、
前記テキスト入力手段はテキスト情報を入力し、
前記第一の送信手段は前記テキスト情報を第一の通信路に送信し、
前記第一の受信手段は前記第一の通信路から前記テキスト情報を受信し、
前記言語解析手段は前記テキスト情報を音声表記情報に変換し、
前記韻律生成手段は前記音声表記情報を、韻律情報が付加された韻律情報付き音声表記情報に変換し、
前記第二の送信手段は前記韻律情報付き音声表記情報を第二の通信路に送信し、
前記第二の受信手段は前記第二の通信路から前記韻律情報付き音声表記情報を受信し、
前記素片読み出し手段は前記韻律情報付き音声表記情報に従って前記素片データ記憶手段から素片データを読み出し、
前記合成手段は前記韻律情報付き音声表記情報と前記素片データを用いて音声を合成し、
前記素片データ記憶手段は音源特性と声道伝達特性情報を記憶し、
前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システム。
【請求項１０】
前記送信部は、音声入力手段、音声符号化手段及び、第一の多重化手段を有し、
前記中継部は第一の分離手段及び第二の多重化手段を有し、
前記受信部は第二の分離手段を有し、
前記音声入力手段は音声信号を入力し、
前記音声符号化手段は前記音声信号のピッチと音源特性と声道伝達特性を分析して符号化することにより音声符号系列に変換し、
前記第一の多重化手段は前記テキスト情報と前記音声符号系列を多重化してひとつの符号系列に変換し、
前記第一の分離手段は前記符号系列を前記テキスト情報と前記音声符号系列に分離し、
前記第二の多重化手段は、前記韻律情報付き音声表記情報と前記音声符号系列を多重化してひとつの符号系列に変換し、
前記第二の分離手段は、前記第二の多重化手段によって多重化された前記符号系列を、前記音韻情報付き音声表記情報と前記音声符号系列に分離し、
前記合成手段は前記音声符号系列を音声信号に変換することを特徴とする請求項９記載の音声通信システム。
【請求項１１】
テキスト入力手段、言語解析手段及び第一の送信手段を有する送信部と、
第一の受信手段、韻律生成手段及び第二の送信手段を有する中継部と、
第二の受信手段、素片データ記憶手段、素片読み出し手段及び合成手段を有する受信部と、を備えた音声通信システムであって、
前記テキスト入力手段はテキスト情報を入力し、
前記言語解析手段は前記テキスト情報を音声表記情報に変換し、
前記第一の送信手段は前記音声表記情報を第一の通信路に送信し、
前記第一の受信手段は前記第一の通信路から前記音声表記情報を受信し、
前記韻律生成手段は、前記音声表記情報を、韻律情報が付加された韻律情報付き音声表記情報に変換し、
前記第二の送信手段は前記韻律情報付き音声表記情報を第二の通信路に送信し、
前記第二の受信手段は前記第二の通信路から前記韻律情報付き音声表記情報を受信し、
前記素片読み出し手段は前記韻律情報付き音声表記情報に従って前記素片データ記憶手段から素片データを読み出し、
前記合成手段は、前記韻律情報付き音声表記情報と前記素片データを用いて音声を合成し、
前記素片データ記憶手段は音源特性と声道伝達特性情報を記憶し、
前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システム。
【請求項１２】
前記送信部は、音声入力手段、音声符号化手段及び第一の多重化手段を有し、
前記中継部は第一の分離手段及び第二の多重化手段を有し、
前記受信部は第二の分離手段を有し、
前記音声入力手段は音声信号を入力し、
前記音声符号化手段は前記音声信号のピッチと音源特性と声道伝達特性を分析して符号化することにより音声符号系列に変換し、
前記第一の多重化手段は前記音声表記情報と前記音声符号系列を多重化してひとつの符号系列に変換し、
前記第一の分離手段は、前記符号系列を前記音声表記情報と前記音声符号系列に分離し、
前記第二の多重化手段は前記韻律情報付き音声表記情報と前記音声符号系列を多重化してひとつの符号系列に変換し、
前記第二の分離手段は、前記第二の多重化手段によって多重化された符号系列を前記音韻情報付き音声表記情報と前記音声符号系列に分離し、
前記合成手段は前記音声符号系列を音声信号に変換することを特徴とする請求項１１記載の音声通信システム。
【請求項１３】
前記テキスト入力手段は、ユーザが任意のテキストを入力できるものであることを特徴とする請求項１〜１２のいずれかに記載の音声通信システム。
【請求項１４】
前記テキスト入力手段は、記憶媒体、ネットワーク、あるいはデータベースからテキストを読み出すことにより入力することを特徴とする請求項１〜１２のいずれかに記載の音声通信システム。
【請求項１５】
さらに、パラメータ入力手段を備え、
前記パラメータ入力手段はユーザが好みに応じて設定する音声のパラメータ値を入力できるものであり、
前記韻律生成手段および前記素片読み出し手段は前記パラメータ値に応じて変更を加えた値を出力することを特徴とする請求項１〜１２のいずれかに記載の音声通信システム。
【請求項１６】
請求項１に記載の音声通信システムの、テキスト情報を入力する前記テキスト入力手段、前記テキスト情報を通信路に送信する前記送信手段、前記通信路から前記テキスト情報を受信する前記受信手段、前記テキスト情報を音声表記情報に変換する前記言語解析手段、前記音声表記情報を韻律情報が付加された韻律情報付き音声表記情報に変換する前記韻律生成手段、音源特性と声道伝達特性情報を記憶する前記素片データ記憶手段、前記韻律情報付き音声表記情報に従って前記素片データ記憶手段から素片データを読み出す前記素片読み出し手段、前記韻律情報付き音声表記情報と前記素片データを用いて音声を合成する前記合成手段、としてコンピュータを機能させるためのプログラムを記録した記録媒体であって、コンピュータで利用可能な記録媒体。
【手続補正２】
【補正対象書類名】明細書
【補正対象項目名】００３１
【補正方法】変更
【補正の内容】
【００３１】
また、第１１の本発明（請求項１１に対応）は、テキスト入力手段、言語解析手段及び、第一の送信手段を有する送信部と、第一の受信手段、韻律生成手段及び第二の送信手段を有する中継部と、第二の受信手段、素片データ記憶手段、素片読み出し手段及び合成手段を有する受信部とを備えた音声通信システムであって、前記テキスト入力手段はテキスト情報を入力し、前記言語解析手段は前記テキスト情報を音声表記情報に変換し、前記第一の送信手段は前記音声表記情報を第一の通信路に送信し、前記第一の受信手段は前記第一の通信路から前記音声表記情報を受信し、前記韻律生成手段は、前記音声表記情報を、韻律情報が付加された韻律情報付き音声表記情報に変換し、前記第二の送信手段は前記韻律情報付き音声表記情報を第二の通信路に送信し、前記第二の受信手段は前記第二の通信路から前記韻律情報付き音声表記情報を受信し、前記素片読み出し手段は前記韻律情報付き音声表記情報に従って前記素片データ記憶手段から素片データを読み出し、前記合成手段は、前記韻律情報付き音声表記情報と前記素片データを用いて音声を合成し、前記素片データ記憶手段は音源特性と声道伝達特性情報を記憶し、前記合成手段は、前記韻律情報に従った周期を有し、前記音源特性に従った特性を有する音源波形を生成するとともに、前記声道伝達特性情報に従って前記音源波形をフィルタ処理することによって音声を合成することを特徴とする音声通信システムである。
【手続補正３】
【補正対象書類名】明細書
【補正対象項目名】００３３
【補正方法】変更
【補正の内容】
【００３３】
また、第１３の本発明（請求項１３に対応）は、前記テキスト入力手段は、ユーザが任意のテキストを入力できるものであることを特徴とする第１〜第１２のいずれかの本発明の音声通信システムである。
【手続補正４】
【補正対象書類名】明細書
【補正対象項目名】００３４
【補正方法】変更
【補正の内容】
【００３４】
また、第１４の本発明（請求項１４に対応）は、前記テキスト入力手段は、記憶媒体、ネットワーク、あるいはデータベースからテキストを読み出すことにより入力することを特徴とする第１〜第１２のいずれかの本発明の音声通信システムである。
【手続補正５】
【補正対象書類名】明細書
【補正対象項目名】００３５
【補正方法】変更
【補正の内容】
【００３５】
また、第１５の本発明（請求項１５に対応）は、さらに、パラメータ入力手段を備え、前記パラメータ入力手段はユーザが好みに応じて設定する音声のパラメータ値を入力できるものであり、前記韻律生成手段および前記素片読み出し手段は前記パラメータ値に応じて変更を加えた値を出力することを特徴とする第１〜第１２のいずれかの本発明の音声通信システムである。
【手続補正６】
【補正対象書類名】明細書
【補正対象項目名】００３６
【補正方法】削除
【補正の内容】
【手続補正７】
【補正対象書類名】明細書
【補正対象項目名】００３７
【補正方法】削除
【補正の内容】
【手続補正８】
【補正対象書類名】明細書
【補正対象項目名】００３８
【補正方法】削除
【補正の内容】
【手続補正９】
【補正対象書類名】明細書
【補正対象項目名】００３９
【補正方法】変更
【補正の内容】
【００３９】
また、第１６の本発明（請求項１６に対応）は、第１の本発明の音声通信システムの、テキスト情報を入力する前記テキスト入力手段、前記テキスト情報を通信路に送信する前記送信手段、前記通信路から前記テキスト情報を受信する前記受信手段、前記テキスト情報を音声表記情報に変換する前記言語解析手段、前記音声表記情報を韻律情報が付加された韻律情報付き音声表記情報に変換する前記韻律生成手段、音源特性と声道伝達特性情報を記憶する前記素片データ記憶手段、前記韻律情報付き音声表記情報に従って前記素片データ記憶手段から素片データを読み出す前記素片読み出し手段、前記韻律情報付き音声表記情報と前記素片データを用いて音声を合成する前記合成手段、としてコンピュータを機能させるためのプログラムを記録した記録媒体であって、コンピュータで利用可能な記録媒体である。
【手続補正１０】
【補正対象書類名】明細書
【補正対象項目名】００４０
【補正方法】削除
【補正の内容】
【手続補正１１】
【補正対象書類名】明細書
【補正対象項目名】００５３
【補正方法】変更
【補正の内容】
【００５３】
一方、テキスト情報は言語解析部１０８において辞書１０９等を用いて読みやアクセントなどの情報である音声表記情報に変換され、韻律生成部１１０に入力される。韻律生成部１１０は主にアクセント情報、場合によっては読み情報をも用いて韻律データベース１１１を参照することにより音韻毎のタイミング、音韻毎のピッチの高低、音韻毎の振幅の大きさなどの情報である韻律情報を付加し、韻律情報付き音声表記情報に変換する。
【手続補正１２】
【補正対象書類名】明細書
【補正対象項目名】００６４
【補正方法】変更
【補正の内容】
【００６４】
次にデータ読み出し部１１３−２が素片データベース１１４から指定された素片のデータを読み出し、合成部１１５に送信する。この時、韻律変形部１１２から送られてくる韻律情報付き音声表記情報に含まれるタイミング情報を利用して素片データの時間伸縮を行う。
【手続補正１３】
【補正対象書類名】明細書
【補正対象項目名】００６８
【補正方法】変更
【補正の内容】
【００６８】
このようにして生成されたデータは合成部１１５に入力される。適応符号帳１１５−１にはｃa、雑音符号帳１１５−２にはｃg、ゲイン符号帳１１５−３にはｃg、合成フィルタ１１５−４にはαqiがそれぞれ入力される。ただし、Ｔ0は韻律変形部１１２から入力される。
【手続補正１４】
【補正対象書類名】明細書
【補正対象項目名】０１１１
【補正方法】変更
【補正の内容】
【０１１１】
受信部１０６−ａは通信路より前述のデータ系列を受信し、分離部１０７−ａに出力する。分離部１０７−ａはデータ系列を音声符号系列とテキスト情報に分離し、音声符号系列を多重化部１０４−ｂに、テキスト情報を言語解析部１０８に各々出力する。テキスト情報は他の実施の形態と同様に処理され音声表記情報に変換され、多重化部１０４−ｂに出力される。多重化部１０４−ｂは音声符号系列と音声表記情報を多重化して一つのデータ系列とし、送信部１０５−ｂを介して通信路に送信する。
【手続補正１５】
【補正対象書類名】明細書
【補正対象項目名】０１３３
【補正方法】変更
【補正の内容】
【０１３３】
なお、本発明の音声通信システムの全部または一部の手段の全部または一部の機能をコンピュータにより実行させるためのプログラムを記録した記録媒体であって、コンピュータにより処理可能なことを特徴とする記録媒体も本発明に属する。
【手続補正１６】
【補正対象書類名】明細書
【補正対象項目名】０１３４
【補正方法】削除
【補正の内容】
【手続補正１７】
【補正対象書類名】明細書
【補正対象項目名】０１３５
【補正方法】変更
【補正の内容】
【０１３５】
さらに、本発明の記録媒体とは、ＲＯＭ等の記録媒体など、プログラムを記録した記録媒体をいう。また、本発明のコンピュータを機能させるためのプログラムを記録したとは、例えば、ＲＯＭなどの記録媒体の場合であれば、コンピュータにより読みとり可能であることである。
【手続補正１８】
【補正対象書類名】明細書
【補正対象項目名】０１３６
【補正方法】変更
【補正の内容】
【０１３６】
さらに、上記実施の形態の音声通信システムの全部または一部の手段の全部または一部の機能をコンピュータにより実行させるためのプログラムを記録した記録媒体は、コンピュータにより読み取り可能であり、読み取られた前記プログラムが前記コンピュータと協動して前記機能を実行する記録媒体であっても良い。